(57)【要約】【課題】簡便で操作性の高いプリセットホワイトバランス調整を行うことができる撮像装置および電子カメラを提供することを目的とする。【解決手段】撮影レンズによる被写体像を撮像して画像を生成する撮像手段と、撮像にかかわる複数の撮影条件のうち、ユーザ操作に応じて少なくとも１つの撮影条件を選択する選択手段と、選択手段により選択された撮影条件で、撮像手段による予備撮像を行い、生成された画像に基づいてホワイトバランスデータを取得する取得手段と、ホワイトバランスデータと、選択手段により選択された撮影条件とを対応付けて記憶する記憶手段とを備える。【選択図】      図１
2004159226.tif 000002
【特許請求の範囲】
【請求項１】
撮影レンズによる被写体像を撮像して画像を生成する撮像手段と、
撮像にかかわる複数の撮影条件のうち、ユーザ操作に応じて少なくとも１つの撮影条件を選択する選択手段と、
前記選択手段により選択された前記撮影条件で、前記撮像手段による予備撮像を行い、生成された画像に基づいてホワイトバランスデータを取得する取得手段と、
前記ホワイトバランスデータと、前記選択手段により選択された前記撮影条件とを対応付けて記憶する記憶手段と
を備えたことを特徴とする撮像装置。
【請求項２】
請求項１に記載の撮像装置において、
前記記憶手段に記憶された前記撮影条件と、現在の撮影条件とが一致するか否かの判定を行う判定手段と、
前記記憶手段に記憶された前記ホワイトバランスデータの読み出しを行う読み出し手段と、
前記判定手段が前記一致を判定すると、前記読み出し手段に前記読み出しを行わせる制御手段と
を備えたことを特徴とする撮像装置。
【請求項３】
請求項１または請求項２に記載の撮像装置において、
前記撮影条件は、前記撮像手段における焦点調節にかかわる条件である
ことを特徴とする撮像装置。
【請求項４】
請求項３に記載の撮像装置において、
前記撮像手段は、前記撮影レンズを、予め記憶したフォーカスプリセット位置に移動させるフォーカスプリセットモードを、ユーザ操作に応じて設定する設定手段を備え、
前記撮影条件は、前記設定手段により前記フォーカスプリセットモードが設定される際の前記フォーカスプリセット位置である
ことを特徴とする撮像装置。
【請求項５】
請求項１に記載の撮像装置において、
前記撮影条件は、前記撮像手段における露出制御にかかわる条件である
ことを特徴とする撮像装置。
【請求項６】
撮影レンズによる被写体像を撮像して画像を生成する撮像手段と、
前記撮像手段により生成された画像に少なくともホワイトバランス調整を含む画像処理を施す画像処理手段と、
撮像にかかわる複数の撮影条件のうち、ユーザ操作に応じて少なくとも１つの撮影条件を選択する選択手段と、
前記選択手段により選択された前記撮影条件で、前記撮像手段による予備撮像を行い、生成された画像に基づいてホワイトバランスデータを取得する取得手段と、
前記ホワイトバランスデータと、前記選択手段により選択された前記撮影条件とを対応付けて記憶する記憶手段と
を備えたことを特徴とする電子カメラ。
【発明の詳細な説明】
【０００１】
【発明の属する技術分野】
本発明は、被写体像を撮像する撮像装置および電子カメラに関する。
【０００２】
【従来の技術】
従来より、被写体周辺の照射光の色温度に合わせて、各色のゲインを調整するいわゆるホワイトバランス調整機能を備えた撮像装置がある。このような撮像装置には、プリセットホワイトバランスモードを備えた撮像装置がある。
プリセットホワイトバランスモードによる撮影では、予めユーザにより無彩色の被写体の撮影（いわゆるプリセット取得）を行わせて、その際に取得したホワイトバランスデータを用いてホワイトバランス調整が行われる（例えば、特許文献１参照）。
【０００３】
【特許文献１】
特開平１０−０２３４５１
【０００４】
【発明が解決しようとする課題】
しかし、前述した撮像装置では、プリセットホワイトバランスモードによる撮影に際して、被写体を変更すると、ホワイトバランスデータも変更しなければならず、さらに、ホワイトバランス調整以外の撮影条件については、その都度呼び出したり、設定したりしなければならなかった。
【０００５】
本発明は、簡便で操作性の高いプリセットホワイトバランス調整を行うことができる撮像装置および電子カメラを提供することを目的とする。
【０００６】
【課題を解決するための手段】
請求項１に記載の撮像装置は、撮影レンズによる被写体像を撮像して画像を生成する撮像手段と、撮像にかかわる複数の撮影条件のうち、ユーザ操作に応じて少なくとも１つの撮影条件を選択する選択手段と、前記選択手段により選択された前記撮影条件で、前記撮像手段による予備撮像を行い、生成された画像に基づいてホワイトバランスデータを取得する取得手段と、前記ホワイトバランスデータと、前記選択手段により選択された前記撮影条件とを対応付けて記憶する記憶手段とを備えたことを特徴とする。
【０００７】
請求項２に記載の撮像装置は、請求項１に記載の撮像装置において、前記記憶手段に記憶された前記撮影条件と、現在の撮影条件とが一致するか否かの判定を行う判定手段と、前記記憶手段に記憶された前記ホワイトバランスデータの読み出しを行う読み出し手段と、前記判定手段が前記一致を判定すると、前記読み出し手段に前記読み出しを行わせる制御手段とを備えたことを特徴とする。
【０００８】
請求項３に記載の撮像装置は、請求項１または請求項２に記載の撮像装置において、前記撮影条件は、前記撮像手段における焦点調節にかかわる条件であることを特徴とする。
請求項４に記載の撮像装置は、請求項３に記載の撮像装置において、前記撮像手段は、前記撮影レンズを、予め記憶したフォーカスプリセット位置に移動させるフォーカスプリセットモードを、ユーザ操作に応じて設定する設定手段を備え、前記撮影条件は、前記設定手段により前記フォーカスプリセットモードが設定される際の前記フォーカスプリセット位置であることを特徴とする。
【０００９】
請求項５に記載の撮像装置は、請求項１に記載の撮像装置において、前記撮影条件は、前記撮像手段における露出制御にかかわる条件であることを特徴とする。
請求項６に記載の電子カメラは、撮影レンズによる被写体像を撮像して画像を生成する撮像手段と、前記撮像手段により生成された画像に少なくともホワイトバランス調整を含む画像処理を施す画像処理手段と、撮像にかかわる複数の撮影条件のうち、ユーザ操作に応じて少なくとも１つの撮影条件を選択する選択手段と、前記選択手段により選択された前記撮影条件で、前記撮像手段による予備撮像を行い、生成された画像に基づいてホワイトバランスデータを取得する取得手段と、前記ホワイトバランスデータと、前記選択手段により選択された前記撮影条件とを対応付けて記憶する記憶手段とを備えたことを特徴とする。
【００１０】
【発明の実施の形態】
以下、図面に基づいて、本発明の実施形態について詳細に説明する。
なお、以下では、本発明の撮像装置の一例として電子カメラを用いて説明を行う。
図１は、本発明の実施形態における電子カメラの構成を示すブロック図である。
【００１１】
電子カメラ１は、図１に示すように、撮像部２、制御部３、画像処理部４、表示部５および記録部６を備えており、これらはバスを介して相互に接続されている。
なお、画像処理部４には、ホワイトバランス調整部、色再現処理部など（不図示）が設けられている。また、撮像部２は、不図示の撮影レンズなどの光学系、被写体の明るさや撮影距離などを測定する各種センサ、撮像素子、Ａ／Ｄ変換器などを備えている。撮影レンズは、焦点距離を連続的に変更可能なズームレンズであり、焦点距離変更用のレンズの位置（以下、「レンズの位置」と称する）を認識する不図示のエンコーダを備える。そして、レンズの位置はエンコーダにより認識され、レンズの位置を示す情報は制御部３に出力される。
【００１２】
また、制御部３内の不図示のメモリには、各部の動作を実現するためのプログラムが予め記録されている。また、制御部３内には、後述するメモリプリセットモード実行時に、ホワイトバランスデータなどを記憶するメモリプリセット記憶部８が設けられている。
また、表示部５は、不図示の表示処理部および液晶モニタを備え、液晶モニタには、撮像部２により生成された画像の他に、後述するメモリプリセットモードのメニューなども表示される。
【００１３】
さらに、電子カメラ１は、操作部７を備えており、図１において、操作部７の出力は制御部３に接続される。なお、操作部７は、不図示の電源ボタン、レリーズボタン、決定ボタンなどの部材を備え、後述するメモリプリセットモードを開始するメモリプリセットボタン、ホワイトバランスプリセット取得（以下、「ＷＢプリセット取得」と略する）を開始するホワイトバランスプリセットボタン（以下、「ＷＢプリセットボタン」と略する）などの部材も備える。また、操作部７は、後述するフォーカスプリセットの設定を開始するフォーカスプリセットボタンも備える。
【００１４】
また、電子カメラ１は、ユーザにより予め設定されたフォーカスプリセット位置に焦点距離変更用のレンズを瞬時に移動させる機能（いわゆるフォーカスプリセット機能）や、予め定められた複数の候補領域から選択される一つの領域をフォーカスエリアとして設定し、そのフォーカスエリアに対して焦点調節を行う機能（いわゆるマルチエリアオートフォーカス機能）などを備えている。
【００１５】
さらに、電子カメラ１は、１回のレリーズ操作で、０を基準に高露出側と低露出側に自動的に露出を変えて連続撮影を行う機能（いわゆる露出ブラケティング機能）および、ユーザ操作に応じて露出補正を行うマニュアル露出補正機能を備えている。
また、撮像部２には、不図示の偏光フィルタおよびエンコーダが備えられており、偏光フィルタの回転角度はエンコーダにより認識され、回転角度を示す情報が制御部３に出力される。
【００１６】
また、電子カメラ１は不図示の閃光発光部を備え、閃光発光部による発光量は、ユーザ操作に応じて変更可能である。
なお、撮像部２，制御部３は、請求項の「撮像手段」および「判定手段」に対応し、操作部７，表示部５，制御部３は、請求項の「選択手段」に対応する。また、撮像部２，操作部７，制御部３は、請求項の「取得手段」に対応し、メモリプリセット記憶部８は、請求項の「記憶手段」に対応する。さらに、メモリプリセット記憶部８，制御部３は、請求項の「読み出し手段」に対応し、制御部３は、請求項の「制御手段」に対応する。
【００１７】
以上説明したような構成の電子カメラ１において、不図示の電源ボタンが「ＯＮ」されると、制御部３は、各部にスルー画像の撮像および表示を開始するよう指示する。また、制御部３は、撮像されたスルー画像に基づいて、後述するオートホワイトバランスに用いるホワイトバランスデータを取得し始める。なお、オートホワイトバランスデータは、制御部３内の不図示のメモリに記録され、取得される度に更新される。
【００１８】
次に、本発明の特徴であるメモリプリセットモードで撮影を行う際の、制御部３の動作について、図２〜図８を用いて説明する。
メモリプリセットモードとは、ユーザにより選択された撮影条件でＷＢプリセット取得を行い、得られたホワイトバランスデータを、その撮影条件に対応付けて記憶し、記憶したホワイトバランスデータを用いて、撮像部２により生成された画像に対してホワイトバランス調整を行うモードである。このようなメモリプリセットモードは、ユーザにより操作部７の不図示のメモリプリセットボタンが押圧されることにより開始される。
【００１９】
メモリプリセットモードが開始されると、まず、ＷＢプリセット取得処理が行われる。ＷＢプリセット取得処理について、図２を用いて説明する。
ステップＳ１において、制御部３は、撮影条件が選択されたか否かを判定する。
制御部３は、まず、表示部５を介して、図３（ａ）に示すメニューを不図示の液晶モニタに表示する。図３（ａ）に示すメニューは、ユーザに、撮影条件を選択させるためのＧＵＩ画面である。ユーザは、操作部７を介して、図３（ａ）の（１）〜（７）の撮影条件から１つを選択する。（１）〜（７）の撮影条件のうち、（１）〜（３）の各撮影条件は焦点調節にかかわる撮影条件であり、（４）〜（７）の各撮影条件は露出制御にかかわる撮影条件である。
【００２０】
図３（ａ）には、（１）のフォーカスプリセットが選択される場合の例を示す。なお、本実施形態では、図４に示すように、２つのフォーカスプリセット位置（フォーカスプリセット（１）およびフォーカスプリセット（２））が、設定可能でありそれぞれのフォーカスプリセット位置が、ユーザにより予め設定されているものとする。
【００２１】
フォーカスプリセット以外の撮影条件が選択された場合の動作については、後述し、以下では、撮影条件としてフォーカスプリセットが選択された場合を例に挙げて説明を行う。
図３（ａ）に示すメニューから、ユーザにより、撮影条件としてフォーカスプリセットが選択されると、制御部３は、表示部５を介して、図３（ｂ）に示すメニューを不図示の液晶モニタに表示する。図３（ｂ）に示すメニューは、選択された撮影条件をユーザに確認させ、さらに、詳細な撮影条件を選択させるためのＧＵＩ画面である。ユーザは、操作部７を介して、２つのフォーカスプリセット位置（フォーカスプリセット（１）およびフォーカスプリセット（２））のうちどちらに対応付けてＷＢプリセット取得を行うかを選択する。
【００２２】
図３（ｂ）において、詳細な撮影条件がユーザにより選択されると、制御部３は、表示部５を介して、図３（ｃ）に示すメニューを不図示の液晶モニタに表示する。図３（ｃ）に示すメニューは、選択された撮影条件とその詳細をユーザに確認させ、さらに、後述する方法で記憶されるホワイトバランスデータが、どのような操作が行われた場合に読み出されるかを示す読み出し条件をユーザに通知するための画面である。
【００２３】
図３（ｃ）に示すように、フォーカスプリセット（１）のフォーカスプリセット位置に対応付けてＷＢプリセット取得が行われることと、読み出し条件が、フォーカスプリセット（１）ボタンの押圧である（フォーカスプリセット（１）ボタンが押圧されるとホワイトバランスデータが読み出される）ことが、ユーザに通知される。
制御部３は、撮影条件の選択が行われるまでステップＳ２を繰り返し、選択が行われると、ステップＳ３に進む。
【００２４】
ステップＳ３において、制御部３は、ステップＳ２で選択された撮影条件を設定する。
ステップＳ２では、撮影条件としてフォーカスプリセット（１）が選択されているので、制御部３は、撮像部２に対して、フォーカスプリセット（１）に設定されているフォーカスプリセット位置に不図示の焦点距離変更用のレンズを配置するよう指示を出す。
【００２５】
ステップＳ３において、制御部３は、ユーザにより、操作部７の不図示のＷＢプリセットボタンが押圧されたか否かを判定する。
制御部３は、ＷＢプリセットボタンが押圧されるまでステップＳ３を繰り返し、ＷＢプリセットボタンが押圧されると、ステップＳ４に進む。
ステップＳ４において、制御部３は、ＷＢプリセット動作を行う。
【００２６】
制御部３は、撮像部２を介して予備撮像を行い、生成された画像に基づいてホワイトバランスデータを取得する。そして、制御部３は、ステップＳ５に進む。なお、ユーザは、ＷＢプリセットボタンを押圧する際に、従来のプリセットホワイトバランスと同様に、無彩色の被写体を対象とするものとする。
ステップＳ５において、制御部３は、ステップＳ４で取得したホワイトバランスデータとステップＳ１で選択された撮影条件とを対応付けて、メモリプリセット記憶部８に記憶する。
【００２７】
なお、制御部３は、どのような操作が行われた場合にメモリプリセット記憶部８に記憶されたホワイトバランスデータが読み出されるかを示す読み出し条件（ステップＳ１の図３（ｃ）参照）も、対応付けて記憶する。
そして、制御部３は、ＷＢプリセット取得処理を終了する。
なお、ステップＳ３およびステップＳ４で説明した動作にかえて、以下の動作を行うようにしても良い。すなわち、ユーザは、操作部７を介して、光源や色温度などを設定可能な、いわゆるマニュアルホワイトバランスを設定してホワイトバランスデータを得ることによりプリセットを行う。
【００２８】
なお、本実施形態では、前述した通り、２つのフォーカスプリセット位置が設定可能である。したがって、フォーカスプリセット（２）に対応付けられたホワイトバランスデータを取得するために、フォーカスプリセット（１）の場合と同様に、ステップＳ１〜ステップＳ５の動作を行う。このような動作により、２つのフォーカスプリセット位置のそれぞれにホワイトバランスデータが対応付けられて記憶されているものとして、説明を続ける。
【００２９】
次に、メモリプリセットモードにおける撮影動作について、図５を用いて説明を行う。
ステップＳ１１において、制御部３は、メモリプリセット記憶部８に記憶されている撮影条件と、現在の撮影条件とが一致するか否かを判定する。
【００３０】
なお、現在の撮影条件とは、撮影動作に際してユーザが設定する条件である。本実施形態では、メモリ記憶部８に記憶されている撮影条件は、読み出し条件と同じである。そのため、制御部３は、メモリプリセット記憶部８に記憶されている撮影条件と、現在の撮影条件とが一致するか否かを判定するために、実際には、読み出し条件と現在の撮影条件とが一致するか否かを判定する。すなわち、制御部３は、フォーカスプリセット（１）ボタンまたはフォーカスプリセット（２）ボタンのいずれかが押圧されたか否かを判定し、いずれかのボタンが押圧された場合、読み出し条件と現在の撮影条件とが一致すると判定することができる。
【００３１】
そして、読み出し条件と現在の撮影条件とが一致すると判定された場合、メモリプリセット記憶部８に記憶されている撮影条件と、現在の撮影条件とが一致すると判定することができる。
制御部３は、一致すると判定した場合にはステップＳ１２に進み、一致しないと判定した場合、公知技術であるオートホワイトバランスモードによる撮影を行う。なお、オートホワイトバランスモードによる撮影は公知技術であるため説明を省略する。
【００３２】
ステップＳ１２において、制御部３は、メモリプリセット記憶部８から、ステップＳ１１で現在の撮影条件と一致すると判定された撮影条件に対応付けて記憶されているホワイトバランスデータを読み出す。そして、制御部３は、ステップＳ１３に進む。
ステップＳ１３において、制御部３は、読み出したホワイトバランスデータを、ホワイトバランス調整用に設定する。すなわち、制御部３は、読み出したホワイトバランスデータを示す情報を、画像処理部４に出力し、画像処理部４に対して、そのホワイトバランスデータを用いて、後述するホワイトバランス調整を行うよう指示を出す。そして、制御部３は、ステップＳ１４に進む。
【００３３】
ステップＳ１４において、制御部３は、操作部７の不図示のレリーズボタンが押圧されたか否かを判定する。制御部３は、レリーズボタンが押圧されるまでステップＳ１４を繰り返し、レリーズボタンが押圧されるとステップＳ１５に進む。
ステップＳ１５において、制御部３は、撮影を行う。すなわち、制御部３は、撮像部２における撮像により得られた画像に対して、画像処理部４を介してホワイトバランス調整などの画像処理を施す。ただし、ホワイトバランス調整は、ステップＳ１３で設定されたホワイトバランスデータを用いて行う。制御部３は、画像処理後の画像を記録部６に記録し、一連の処理を終了する。
【００３４】
ここで、ユーザにより、フォーカスプリセット以外の撮影条件が選択された場合についてそれぞれ説明する。
＜マルチエリアオートフォーカス＞
図６に示すように、２つの候補領域のそれぞれについてＷＢプリセット取得を行い、得られたホワイトバランスデータを候補領域に対応付けて記憶する。候補領域の選択は、図３（ｂ）で説明した詳細な撮影条件の選択時に行う。
【００３５】
そして、読み出し条件は、ユーザにより、操作部７を介して、いずれかの候補領域がフォーカスエリアとして設定されることである。したがって、いずれかの候補領域がフォーカスエリアとして設定されると、設定された候補領域に対応付けて記憶されたホワイトバランスデータが読み出され、ホワイトバランス調整に用いられる。
【００３６】
なお、候補領域は３つ以上であっても良い。
＜撮影レンズ焦点距離＞
図７に示すように、焦点距離の異なる２つの被写体を撮影する際に、それぞれの被写体に応じた２つの焦点距離（ｆ１ｍｍ，ｆ２ｍｍ）のそれぞれについてＷＢプリセット取得を行い、得られたホワイトバランスデータを焦点距離に対応付けて記憶する。焦点距離の決定は、図３（ｂ）で説明した詳細な撮影条件の選択時に行う。
【００３７】
そして、読み出し条件は、操作ではなく、焦点距離がｆ１ｍｍまたはｆ２ｍｍに変更されることである。したがって、焦点距離がｆ１ｍｍまたはｆ２ｍｍに変更されると、それぞれの焦点距離に対応付けて記憶されたホワイトバランスデータが読み出され、ホワイトバランス調整に用いられる。
なお、３つ以上の焦点距離に対応付けてホワイトバランスデータを記憶するようにしても良い。
【００３８】
＜マニュアル露出補正＞
図８に示すように、明るさの異なる２つの被写体を撮影する際に、それぞれの被写体に応じた２つの露出補正値（Ｅｖ１，Ｅｖ２）のそれぞれについてＷＢプリセット取得を行い、得られたホワイトバランスデータを露出補正値に対応付けて記憶する。露出補正値の決定は、図３（ｂ）で説明した詳細な撮影条件の選択時に行う。
【００３９】
そして、読み出し条件は、操作ではなく、露出補正値がＥｖ１またはＥｖ２に設定されることである。したがって、露出補正値がＥｖ１またはＥｖ２に設定されると、それぞれの露出補正値に対応付けて記憶されたホワイトバランスデータが読み出され、ホワイトバランス調整に用いられる。
なお、３つ以上の露出補正値に対応付けてホワイトバランスデータを記憶するようにしても良い。
【００４０】
＜露出ブラケティング＞
ユーザ操作に応じて露出ブラケティングが行われる際に、変更される露出値のそれぞれについて、ＷＢプリセット取得を行い、得られたホワイトバランスデータを露出値に対応付けて記憶する。
そして、読み出し条件は、ユーザにより、操作部７を介して、露出ブラケティングの実行が指示されることである。したがって、ユーザにより露出ブラケティングの実行が指示されると、それぞれの露出値に対応付けて記憶されたホワイトバランスデータが読み出され、ホワイトバランス調整に用いられる。
【００４１】
＜偏光フィルタ＞
偏光フィルタの所定の回転角度についてＷＢプリセット取得を行い、得られたホワイトバランスデータを回転角度に対応付けて記憶する。回転角度の選択は、図３（ｂ）で説明した詳細な撮影条件の選択時に行う。
そして、読み出し条件は、操作ではなく、偏光フィルタが所定の回転角度に回転されることである。したがって、偏光フィルタが所定の回転角度に回転されると、回転角度に対応付けて記憶されたホワイトバランスデータが読み出され、ホワイトバランス調整に用いられる。
【００４２】
なお、異なる複数の回転角度に対応付けてホワイトバランスデータを記憶するようにしても良い。
＜閃光発光部発光量＞
閃光発光部の所定の発光量についてＷＢプリセット取得を行い、得られたホワイトバランスデータを発光量に対応付けて記憶する。発光量の選択は、図３（ｂ）で説明した詳細な撮影条件の選択時に行う。
【００４３】
そして、読み出し条件は、操作ではなく、閃光発光部の発光量が所定の発光量に変更されることである。したがって、閃光発光部の発光量が所定の発光量に変更されると、発光量に対応付けて記憶されたホワイトバランスデータが読み出され、ホワイトバランス調整に用いられる。
なお、異なる複数の発光量に対応付けてホワイトバランスデータを記憶するようにしても良い。
【００４４】
以上説明したように、本実施形態によれば、ユーザにより選択される撮影条件と、その撮影条件でＷＢプリセット取得したホワイトバランスデータとが対応付けて記憶される。
したがって、現在の撮影条件を設定または変更する際に、改めてＷＢプリセット取得を行う手間を省くことができる。
【００４５】
また、本実施形態によれば、記憶されている撮影条件と現在の撮影条件とが一致すると判定されると、記憶されているホワイトバランスデータが読み出され、そのホワイトバランスデータを用いてホワイトバランス調整が行われる。
したがって、現在の撮影条件を設定または変更すると、その撮影条件に対応付けられたホワイトバランスデータを用いて、適切なホワイトバランス調整が行われる。そのため、簡便で操作性の高いプリセットホワイトバランス調整を行うことができる。
【００４６】
なお、本実施形態では、メモリプリセットモードにおいて選択される撮影条件は１種類である例を示したが、２種類以上でも良い。例えば、撮影条件としてマルチエリアオートフォーカスと偏光フィルタとを選択した場合、各候補領域毎に複数の偏光フィルタの回転角度を組み合わせ、それぞれについて、ＷＢプリセット取得を行ってホワイトバランスデータを記憶しておき、選択された候補領域と偏光フィルタの回転角度との組み合わせが、記憶したものと一致する場合には、その組み合わせに対応付けられたホワイトバランスデータを読み出して、ホワイトバランス調整を行う。
【００４７】
また、本実施形態では、ユーザに撮影条件を選択させるためのメニューを、表示部５の不図示の液晶モニタに表示する例を示したが、各種情報を表示するための表示パネルなどを、液晶モニタの他に備えた電子カメラの場合、このような表示パネルに表示するようにしても良い。また、表示メニューの形態は、ユーザに撮影条件を選択させることができれば、どのようなものであってもよい。
【００４８】
また、本発明を、撮影レンズの焦点距離を特定の範囲内に限定するいわゆるフォーカスリミット機能を備えた電子カメラに適用しても良い。このような場合、例えば、焦点距離が∞〜１０ｍの場合と、焦点距離が１０〜５ｍの場合とのそれぞれについてＷＢプリセット取得を行うことにより、焦点距離に応じた適切なプリセットホワイトバランス調整を、簡便に行うことができる。
【００４９】
また、本発明を、電子カメラ以外の撮像装置に適用しても良い。
【００５０】
【発明の効果】
以上説明したように、本発明によれば、簡便で操作性の高いプリセットホワイトバランス調整を行うことができる撮像装置および電子カメラを提供することができる。
【図面の簡単な説明】
【図１】本実施形態における電子カメラの構成を示すブロック図である。
【図２】ＷＢプリセット取得処理時の電子カメラの制御手順を示すフローチャートである。
【図３】撮影条件選択のためのＧＵＩ画面の例を示す図である。
【図４】フォーカスプリセットについて説明する図である。
【図５】メモリプリセットモードによる撮影時の電子カメラの制御手順を示すフローチャートである。
【図６】マルチエリアオートフォーカスについて説明する図である。
【図７】撮影レンズの焦点距離について説明する図である。
【図８】マニュアル露出補正について説明する図である。
【符号の説明】
１  電子カメラ
２  撮像部
３  制御部
４  画像処理部
５  表示部
６  記録部
７  操作部
８  メモリプリセット記憶部
【図１】
2004159226.tif 000003
【図２】
2004159226.tif 000004
【図３】
2004159226.tif 000005
【図４】
2004159226.tif 000006
【図５】
2004159226.tif 000007
【図６】
2004159226.tif 000008
【図７】
2004159226.tif 000009
【図８】
2004159226.tif 000010